(57)【特許請求の範囲】
【請求項１】
時計ケース１１内に、時計表示部２と、スピーカー部３とを設け、時計表示部２は交流電源を使用するものであり、スピーカー部３は、近距離無線通信（Ｂｌｕｅｔｏｏｔｈ；登録商標）を受信して音源再生するものであり、更に、ＡＣ電源用コード４を少なくとも複数設けるとともに、当該ＡＣ電源用コード４，４の間にＡＣコネクタ５を配置した交流電源式掛け時計１における電源用コードの配線装置において、
前記ＡＣコネクタ５は、ＡＣアダプター１４からのＡＣ電源用コード４と、前記時計ケース１１からのＡＣ電源用コード４とを接続するものであって、前記ＡＣアダプター１４側のＡＣ電源用コード４の先端に設けられたジャック４ａが前記ＡＣコネクタ５に接続され、
更に前記ＡＣコネクタ５は、タッピンねじ５ａ，５ａで壁面の適宜の部位に取り付けられることを特徴とする交流電源式掛け時計１における電源用コードの配線装置。
【請求項２】
請求項１において、時計ケース１１とＡＣコネクタ５との間、又は、ＡＣコネクタ５とコンセントとの間のＡＣ電源用コード４に、コード掛け止め具２０を設けたことを特徴とする交流電源式掛け時計１における電源用コードの配線装置。
【発明の詳細な説明】
【技術分野】
【０００１】
本発明は、交流電源を用いて作動する掛け時計において、用いられるＡＣ電源用コードの配線を、壁面に対し任意に設定可能な交流電源式掛け時計における電源用コードの配線装置に関する。
【背景技術】
【０００２】
交流電源を用いて作動する時計として、例えば、商用交流電源の電源周波数を基準周波数とし、これを用いて時、分、秒の時間信号を得て、時刻を表示する交流電源式時計が知られている（特許文献１、２）。
【０００３】
他方、スピーカー単体のものに、デジタル時計表示機能を搭載したものや、例えばＷＩＦＩなどの近距離無線通信を受信し、これを介して音源再生するスピーカーなどが知られている。
【先行技術文献】
【特許文献】
【０００４】
【特許文献１】実公昭６２−２５７４３号公報
【特許文献２】特開２０１２−８８２０２号公報
【発明の概要】
【発明が解決しようとする課題】
【０００５】
この種の交流電源式時計におけるＡＣ電源用コードの壁面固定構造によると、通常は交流電源式掛け時計のＡＣ電源用コードを直接、壁面などのコンセントに接続しているので、ＡＣ電源用コード自体の長さや材質による歪みや弛みによって、外観上の意匠効果に著しい制限があった。
【０００６】
つまり、使用者の意図する視覚的な見栄えを反映できないでいたので、使用者の意図する視覚的な見栄えを反映しようとすると、壁面に穴あけして、壁面内部に配線したり、又は、配線モールなどの別部品を用いて配線する必要性があった。
【０００７】
本発明は、上記事情に鑑みてなされたもので、交流電源式掛け時計のＡＣ電源用コードに関し、壁面に穴あけして壁面内部に配線したり、配線モールなどの別部品を用いずに、使用者の独自性を発揮した配線形態を実現することができる掛け時計を提案するものである。
【課題を解決するための手段】
【０００８】
本願第１請求項に記載した発明は、実施例で用いた符号を付して記すと、時計ケース１１内に、時計表示部２と、スピーカー部３とを設け、時計表示部２は交流電源を使用するものであり、スピーカー部３は、近距離無線通信（Ｂｌｕｅｔｏｏｔｈ；登録商標）を受信して音源再生するものであり、更に、ＡＣ電源用コード４を少なくとも複数設けるとともに、当該ＡＣ電源用コード４，４の間にＡＣコネクタ５を配置した交流電源式掛け時計１における電源用コードの配線装置において、
前記ＡＣコネクタ５は、ＡＣアダプター１４からのＡＣ電源用コード４と、前記時計ケース１１からのＡＣ電源用コード４とを接続するものであって、前記ＡＣアダプター１４側のＡＣ電源用コード４の先端に設けられたジャック４ａが前記ＡＣコネクタ５に接続され、
更に前記ＡＣコネクタ５は、タッピンねじ５ａ，５ａで壁面の適宜の部位に取り付けられることを特徴とする交流電源式掛け時計１における電源用コードの配線装置である。
【０００９】
本願第２請求項に記載した発明は、請求項１において、時計ケース１１とＡＣコネクタ５との間、又は、ＡＣコネクタ５とコンセントとの間のＡＣ電源用コード４に、コード掛け止め具２０を設けたことを特徴とする交流電源式掛け時計１における電源用コードの配線装置である。
【発明の効果】
【００１０】
この種従来の交流電源式時計におけるＡＣ電源用コードの壁面固定構造によると、前述したように、通常は交流電源式掛け時計のＡＣ電源用コードを直接、壁面などのコンセントに接続しているので、ＡＣ電源用コード自体の長さや材質による歪みや弛みによって、外観上の意匠効果に著しい制限があり、使用者の意図する視覚的な見栄えを反映できないでいたが、本願発明のように、ＡＣコネクタを用いているため、基本的に留め具によらなくともＡＣ電源用コードの固定ができることになる。すなわち、本願発明のようなＡＣコネクタを用いずに単にコードを留め具で固定した場合は、コードの長さや材質によっては強力な保持力が求められるため、保持力の大きな留め具を使用するか、或いは多数の留め具を用いなければならない。このように、強力な保持力具備の留め具や多数の留め具を用いざるを得ない場合は、外観上の厳しい制限がもたらされることとなる。この点、本願発明によれば、留め具を用いる場合であっても、留め具に求められる保持力は小さくてよくなるため、留め具は、適宜かつ任意の壁面固定形状のものを使用することができるという作用効果を奏する。
【図面の簡単な説明】
【００１１】
【図１】本発明の実施例に係り、時計の正面図である。
【図２】本発明の実施例に係り、壁面に時計を取付けた状態を示す正面図である。
【図３】本発明の実施例に係り、壁面に時計を取付けた状態を示す側面図である。
【図４】本発明の実施例に係り、時計を置き使用した状態を示す後方からの斜視図である。
【図５】本発明の実施例に係り、時計を示す分解斜視図である。
【図６】本発明の実施例に係り、時計ケースの前ケースを示す図である。
【図７】本発明の実施例に係り、時計を示す縦断側面図である。
【図８】本発明の実施例に係り、時計を示す横断平面図である。
【図９】本発明の実施例に係り、ＡＣコネクタを示す斜視図である。
【図１０】本発明の実施例に係り、ＡＣコネクタを示す斜視図である。
【図１１】本発明の他の実施例に係り、壁面に時計を取付けた状態を示す正面図である。
【発明を実施するための形態】
【００１２】
以下に、本発明の実施例を図面に基づいて説明する。図１において、本例の時計１は中央に時計表示部２が配置され、この時計表示部２の左右に、スピーカー部３，３がそれぞれ配置されている。時計１が掛け時計として用いられる場合は、図２に示すように、ＡＣ電源用コード４の下端にＡＣコネクタ５が設けられる。ＡＣコネクタ５には、後述するＡＣアダプター１４からの電源用コード４が接続される。
【００１３】
時計１が置き使用される場合は、図４に示すように、時計ケース１１の後部に設けられたスタンド部材６を用いて、時計１を支持する。
【００１４】
また、時計１が掛け使用される場合は、図５に示すように、時計ケース１１の後部に設けられた壁掛け用の取付け部材７を用いて、時計１を支持する。
【００１５】
このように、本例の時計１は、時計ケース１１内に、時計表示部２と、スピーカー部３とを設けるとともに、時計表示部２は交流電源を使用するものであり、また、スピーカー部３は、近距離無線通信（Ｂｌｕｅｔｏｏｔｈ；登録商標）を受信して音源再生するものである。更に、図５に示すように、時計ケース１１内には、時計駆動用の回路装置８と、近距離無線通信用の回路装置９とを備えるとともに、これらの回路装置８，９は、それぞれ独立して機能するものである。
【００１６】
本例では、近距離無線通信にＢｌｕｅｔｏｏｔｈ（登録商標）を用いている。Ｂｌｕｅｔｏｏｔｈ（登録商標）は、周知のように、数ｍから数１０ｍ程度の距離の情報機器間で、電波を使用して簡易な情報のやりとりを行うのに使用されるもので、一般に２．４ＧＨｚ帯を７９の周波数チャンネルに分け、利用する周波数をランダムに変える周波数ホッピングを行いながら、情報機器間において最大２４Ｍｂｐｓで無線通信を行うものである。
【００１７】
尚、図５において、符号１０は点灯補助板、１４はＡＣアダプター、１５は近距離電波通信始動用スイッチ、１６は近距離電波通信始動用スイッチのペアリング、１７はスピーカーネット、１８は取付板、１９は飾り板である。
【００１８】
また、本例の時計ケース１１は、前板１２と後ケース部材１３で構成され、前板１２には、中央に時計表示部の設置用部位１２ａが設けられるとともに、その左右にスピーカー部の設置用部位１２ｂ，１２ｂを設けている。
【００１９】
図９において、ＡＣコネクタ５は、本例の場合、タッピンねじ５ａ，５ａで壁面の適宜の部位に取付けられる。また、図１０に示すように、壁面に固定されたＡＣコネクタ５には、ＡＣアダプター１４側のＡＣ電源用コード４の先端に設けられたジャック４ａが接続される。
【００２０】
図１１は、本発明の他の実施例に係るもので、この例では、壁面に時計１を取付けるにあたり、時計ケース１１とＡＣコネクタ５との間のＡＣ電源用コード４に、コード掛け止め具２０を設けている。このコード掛け止め具２０は、時計ケース１１とＡＣコネクタ５との間のＡＣ電源用コード４を、適宜且つ任意の壁面固定形状を現出することができるもので、図示を省略したタッピンねじなどを用いて、ＡＣ電源用コード４の固定形状を形成する。
【００２１】
この点、前述したように、従来におけるＡＣ電源用コードの壁面固定構造によると、通常は上記のようなＡＣコネクタを用いずに、交流電源式掛け時計のＡＣ電源用コードを直接、壁面などのコンセントに接続していたので、ＡＣ電源用コード自体の長さや材質による歪みや弛みによって、外観上の意匠効果に著しい制限があった。つまり、使用者の意図する視覚的な見栄えを反映できないでいた。この場合、使用者の意図する視覚的な見栄えを反映しようとすると、壁面に穴あけして、壁面内部に配線したり、又は、配線モールなどの別部品を用いて配線する必要性があった。
【００２２】
上記のように、ＡＣコネクタ５を用いて、時計ケース１１とＡＣコネクタ５との間のＡＣ電源用コード４に、コード掛け止め具２０を設けた場合は、交流電源式掛け時計に必要となるＡＣ電源用コードの配線について、コード掛け止め具２０で配線固定ポイントを設けることにより、使用者の独自性を発揮した配線形態を実現することができることになる。また、配線固定ポイントを設けることにより、配線の弛みを解消することができるものである。
【００２３】
以上のように、本例の時計１によれば、時計ケース１１内に、時計表示部２と、スピーカー部３とが設けられるとともに、時計駆動用の回路装置８と、近距離無線通信用の回路装置９とを備え、そしてこれらの回路装置８，９がそれぞれ独立して機能するので、１つの製品で、時計表示機能と、近距離無線通信（Ｂｌｕｅｔｏｏｔｈ；登録商標）にて音源再生するスピーカーと、交流電源方式とを備えた時計を得ることができる。
【００２４】
更に、ＡＣ電源用コード４，４の間にＡＣコネクタ５を配置し、又は、時計ケースとＡＣコネクタ５との間或いは、ＡＣコネクタ５とコンセントとの間のＡＣ電源用コード４に、コード掛け止め具２０を設けているので、使用者の独自性を発揮した配線形態を実現することができることになる。また、ＡＣコネクタ５やコード掛け止め具２０などの配線固定ポイントを設けることにより、配線の弛みを解消することができるものである。
【産業上の利用可能性】
【００２５】
本発明の交流電源式掛け時計における電源用コードの配線装置は、１つの製品で、時計表示機能と、近距離無線通信（Ｂｌｕｅｔｏｏｔｈ；登録商標）にて音源再生するスピーカーと、交流電源方式とを備えて、壁掛け使用や置き掛け兼用可能な掛け時計における電源用コードの配線装置として好適に利用することができるものである。
【符号の説明】
【００２６】
１    時計
２    時計表示部
３    スピーカー部
３ａ    スピーカー
４    ＡＣ電源用コード
４ａ    ジャック
５    ＡＣコネクタ
５ａ    タッピンねじ
６    スタンド部材
７    壁掛け用の取付け部材
８    時計駆動用の回路装置
９    近距離無線通信用の回路装置
１０    点灯補助板
１１    時計ケース
１２    前板
１２ａ    時計表示部の設置用部位
１２ｂ    スピーカー部の設置用部位
１３    後ケース部材
１４    ＡＣアダプター
１５    近距離電波通信始動用スイッチ
１６    近距離電波通信始動用スイッチのペアリング
１７    スピーカーネット
１８    取付板
１９    飾り板
２０    コード掛け止め具
【図１】
0006321502.tif 000002
【図２】
0006321502.tif 000003
【図３】
0006321502.tif 000004
【図４】
0006321502.tif 000005
【図５】
0006321502.tif 000006
【図６】
0006321502.tif 000007
【図７】
0006321502.tif 000008
【図８】
0006321502.tif 000009
【図９】
0006321502.tif 000010
【図１０】
0006321502.tif 000011
【図１１】
0006321502.tif 000012